(57)【特許請求の範囲】
【請求項１】
撮像手段と、
前記撮像手段の撮影条件を設定する撮影条件設定手段と、
時計手段と、
撮影条件情報と日時情報とを関連付けて記憶する記録媒体と、
前記記録媒体に記録されている日時情報を読み出す情報読み出し手段と、
前記情報読み出し手段により読み出された日時情報に基づく日時と前記時計手段から出力される現在の日時とを比較する比較手段とを有し、
前記比較手段による比較差が所定値以下である場合に、前記撮影条件設定手段は前記記録媒体に記録されている撮影条件情報を再設定することを特徴とする撮像装置。
【請求項２】
撮像手段と、
前記撮像手段の撮影条件を設定する撮影条件設定手段と、
時計手段と、
撮影条件情報と日時情報とを関連付けて記憶する記録媒体と、
前記記録媒体に記録されている日時情報を読み出す情報読み出し手段と、
前記情報読み出し手段により読み出された日時情報に基づく日時と前記時計手段から出力される現在の日時とを比較する比較手段
とを有し、
前記比較手段による比較差が所定値以上である場合に、前記撮影条件設定手段は前記撮像手段を初期設定状態に設定することを特徴とする撮像装置。
【請求項３】
前記比較手段による比較差が前記所定値以下である場合に、前記撮影条件設定手段は前記記録媒体に記録されている撮影条件情報を再設定することを特徴とする請求項２に記載の撮像装置。
【発明の詳細な説明】
【０００１】
【発明の属する技術分野】
本発明は、撮影映像を記録媒体に記録する撮像装置に関する。
【０００２】
【従来の技術】
従来のビデオカメラには、一度、撮影条件を設定すると、メイン電源をオフしても、次に電源をオンにしたときに同じ撮影条件で撮影できるようになっているものが多い。例えば、撮影モード、フォーカス制御のオート／マニュアル、露出制御のオート／マニュアルの切り替え及びマニュアル時の絞り設定値、シヤッタ・スピード、ホワイトバランス調整、並びにディジタル効果のオン／オフ及びその内容などである。
【０００３】
これらの設定状態をバックアップする方法には、メイン電源をオフにしたときでもシステム制御マイクロコンピュータのみには別電源から電力を供給してシステム制御マイクロコンピュータに設定状態を継続的に記憶させる方法や、電源オフ操作によりメイン電源をオフにする前に設定状態を不揮発性メモリ（例えば、ＥＥＰＲＯＭ又は別電池でバックアップされたＤＲＡＭなど）に退避させ、メイン電源がオンになったときにシステム制御マイクロコンピュータに復帰させる方法などがある。
【０００４】
昨今、映像記録のディジタル化が進み、ディジタルＶＴＲも商品化されるようになっている。ディジタルＶＴＲの規格では映像・音声とともに、撮影日時、撮影時のカメラの多数の設定情報（例えば、撮影モード、シヤッタ速度、絞り値、ホワイトバランス及び手振れ補正などの情報）を記録できる。これらの情報を再生すれば、それぞれの撮影シーンでどのようなカメラ設定で撮影したかを知ることができる。例えば、日経ＢＰ社刊、「日経エレクトロニクス」１９９３年１０月１日号、写真工業出版社刊、「ビデオα」１９９５年１１月号を参照されたい。
【０００５】
【発明が解決しようとする課題】
カメラの電源を再度オンにしたときに、直前に電源をオフにしたときの設定状態に自動的に設定されるのは、必ずしもユーザにとって便利とはいえない。例えば、同じシーンのつなぎ撮りであれば、電源オン時に直前の撮影と同じ設定状態に設定される方が、撮影者にとって好都合であるが、全く別のシーンのつなぎ撮りのときには、初期設定状態（標準設定）の方が好都合である。また、前回の撮影で初期設定状態から何らかの項目の設定を変更した場合に、電源を再度オンにしたときにもその変更が常に有効あるとすると、その項目によってはファインダなどで確認できにくいものもあり、撮影者の意図せざる撮影になってしまうこともありうる。
【０００６】
本発明は、このような問題点を解決し、設定状態の設定を撮影者の感覚に合致するように実行する撮像装置を提示することを目的とする。
【０００７】
【課題を解決するための手段】
本発明に係る撮像装置は、撮像手段と、前記撮像手段の撮影条件を設定する撮影条件設定手段と、時計手段と、撮影条件情報と日時情報とを関連付けて記憶する記録媒体と、前記記録媒体に記録されている日時情報を読み出す情報読み出し手段と、前記情報読み出し手段により読み出された日時情報に基づく日時と前記時計手段から出力される現在の日時とを比較する比較手段とを有し、前記比較手段による比較差が所定値以下である場合に、前記撮影条件設定手段は前記記録媒体に記録されている撮影条件情報を再設定することを特徴とする。
【０００８】
また、本発明に係る撮像装置は、撮像手段と、前記撮像手段の撮影条件を設定する撮影条件設定手段と、時計手段と、撮影条件情報と日時情報とを関連付けて記憶する記録媒体と、前記記録媒体に記録されている日時情報を読み出す情報読み出し手段と、前記情報読み出し手段により読み出された日時情報に基づく日時と前記時計手段から出力される現在の日時とを比較する比較手段とを有し、前記比較手段による比較差が所定値以上である場合に、前記撮影条件設定手段は前記撮像手段を初期設定状態に設定することを特徴とする。
【０００９】
【発明の実施の形態】
以下、図面を参照して、本発明の実施の形態を詳細に説明する。
【００１０】
図１は、上記参考文献に記載されるディジタル・ビデオ・フォマットに準拠したディジタルＶＴＲに適用した、本発明の第１実施例の概略構成ブロック図を示す。この実施例では、露出、フォーカス及びホワイト・バランスのそれぞれを自動調整及び手動設定可能であり、防振機能と電子ズーム機能を具備する。
【００１１】
図１において、１０は被写体の光学像を結像する撮影レンズ、１２は光量を調整する絞り、１４は撮影レンズによる光学像を電気信号に変換する撮像素子、１６は撮像素子１４の出力信号を処理（γ補正、ホワイトバランス調整及び電子ズームなど）し、所定形式の映像信号を生成するカメラ信号処理回路、１８は記録媒体に記録する信号を記録処理し、記録媒体の再生信号を再生処理するレコーダ信号処理回路、２０は記録媒体に信号を記録再生する磁気ヘッド、２２は記録媒体である磁気テープである。２４は、装置全体を制御するシステム制御回路、２６は、世界の任意の地域の日時情報を出力できる世界時計である。
【００１２】
図２は、レコーダ信号処理回路１８の詳細な回路ブロック図を示す。３０はカメラ信号処理回路１６からの映像データのサンプリング周波数を変換するサンプリング周波数変換回路、３２はサンプリング周波数変換回路３２の出力データをデータ圧縮するデータ圧縮回路、３４はデータ圧縮回路３２の出力に図示しない音声処理回路の入力系からの入力音声データ及びシステム制御回路２４からのシステム・データを加えて誤り訂正符号化し、誤り訂正符号を付加する誤り訂正符号付加回路３４、３６は誤り訂正符号付加回路３４の出力データを記録符号化する記録符号化回路である。記録符号化回路３６の出力データが磁気ヘッド２０に印加される。
【００１３】
３８は、磁気ヘッド２０の出力信号からデータを検出する検出回路、４０は、検出回路３８により検出されたデータの誤りを、誤り訂正符号付加回路３４で付加された誤り訂正符号を使って訂正する誤り訂正回路、４２は誤り訂正回路４０により訂正された映像情報データを伸長するデータ伸長回路、４４はデータ伸長回路４２の出力データのサンプリング周波数を元に戻すサンプリング周波数変換回路である。回路４４から出力される映像データは再生出力系に印加される。誤り訂正回路４０から出力されるシステム・データはシステム制御回路２４に印加され、誤り訂正回路４０から出力される音声データは図示しない音声処理回路の出力系に印加される。
【００１４】
図３は、本実施例における、磁気テープ２２のトラック・フォーマットを示す。図３に示すように、１つのトラック５０は、頭出しのデータなどを記録するサブコード・セクタ５２、映像データを記録するビデオ・セクタ５４、音声データを記録するオーディオ・セクタ５６及びアフレコなどの基準データなどを記録するＩＴＩセクタ５８からなる。
【００１５】
図４は、磁気テープ２２に記録するデータの形式を示す。ディジタル・ビデオ・フォーマットでは、５バイトを１単位とし、最初の１バイトＰＣ０は後に続くデータの意味を示すヘッダ、残りの４バイトＰＣ１，ＰＣ２，ＰＣ３，ＰＣ４はデータの内容をそれぞれ示す。
【００１６】
図５〜図９は、システム・データの内容を示す。システム・データは、図５〜図９にそれぞれ示すようにワード１〜５の５種類あり、各ワード１〜５は、図４で説明したのと同様のデータ形式からなる。
【００１７】
図２〜図９を参照して、図１に示す実施例の動作を説明する。撮影レンズ１０による光学像は、絞り１２により光量を調整され撮像素子１４の撮像面上に入射する。撮像素子１４は光学像を電気信号に変換する。カメラ信号処理回路１６は、撮像素子１４の出力に所定の処理（γ補正、ホワイト・バランス調整及び電子ズームなど）を施し、所定形式の映像データ（本実施例では、輝度・色差データ）としてレコーダ信号処理回路１８に供給する。
【００１８】
世界時計２６は、指定された地域の、現在の年／月／日／曜日／時／秒（サマータイム含む）のコード化データをシステム制御回路２４に出力する。
【００１９】
映像記録時に、レコーダ信号処理回路１８では、サンプリング周波数変換回路２０が、カメラ信号処理回路１６からの映像データのサンプリング周波数を変換し、データ圧縮回路３２が、回路３０の出力データをＤＣＴ（離散コサイン変換）及びＶＬＣ（可変長符号化）により情報圧縮する。
【００２０】
圧縮された映像データは、図示しない音声処理回路の入力系からの音声データ及びシステム制御回路２４からのシステム・データ（システム・データの構成については後述する。）と共に誤り訂正符号付加回路３４に印加され、ここで誤り訂正符号を付加されて記録符号化回路３６に印加される。記録符号化回路３６は、誤り訂正符号付加回路３４の出力データを記録媒体である磁気テープ２２の特質に合わせた符号化方式で記録符号化し、その出力は磁気ヘッド２０を介して磁気テープ２２に図３に示すトラック・フォーマットで記録される。
【００２１】
ビデオ・セクタ５４には付加情報を記録するための領域が設けてあり、システム・データはここに記録される。なお、記録トラック５０には、トラッキング用パイロット信号も記録される。図３には明記していないが、各セクタ５２，５４，５６，５８間には、データを記録しないギャップが存在する。
【００２２】
１フレームの映像データは、ＮＴＳＣ方式の場合（フィールド周波数６０Ｈｚ）で１０トラック分を使用し、ＰＡＬ方式の場合（フィールド周波数５ＯＨｚ）で１２トラックを使用する。１フレーム内の各トラックには、同じ内容のシステム・データが記録される。
【００２３】
記録信号を再生するとき、磁気ヘッド２０が、磁気テープ２２上から記録情報（パイロット信号を含む。）を再生する。検出回路３８は磁気ヘッド２０の出力からデータを検出し、誤り訂正回路４０は検出回路３８の出力データの誤りを訂正し、映像データをデータ伸長回路４２に、音声データを図示しない音声処理回路の出力系に、システム・データをシステム制御回路２４にそれぞれ供給する。データ伸長回路４２は誤り訂正回路４０からの映像データを伸長し、その出力は、サンプリング周波数変換回路４４により元のサンプリング周波数に戻されて、再生出力系に印加される。
【００２４】
システム・データについて説明する。システム・データは、システム制御回路２４が、各部の制御情報に基づいて、図５〜図９に示す構成にエンコードしたものである。なお、磁気テープ２２に記録されるシステム・データは、撮影時（記録時）のものである。各ワード１〜５のＰＣ０はヘッダである。
【００２５】
図５に示すワード１及び図６に示すワード２は、世界時計２６からの日時情報である。
【００２６】
図７に示すワード３は、そのＰＣ１が露出制御モードのオート／マニュアルの判別データ、ＰＣ２が露出制御モードがマニュアルのときの絞り制御データ、ＰＣ３が露出制御モードがマニュアルのときのＡＧＣ制御データ、ＰＣ４が露出制御モードがマニュアルのときのシヤッタ・スピード・データである。なお、露出制御モードがオートのときには、ＰＣ２，ＰＣ３及びＰＣ４はいずれも、００ｈにセットされる。
【００２７】
図８に示すワード４は、そのＰＣ１がホワイトバランス（ＷＢ）調整のオート／マニュアルの判別データ、ＰＣ２がホワイトバランス光源設定データ、ＰＣ３がホワイトバランス調整がマニュアルのときのＲ（赤色）方向制御データ、ＰＣ４がホワイトバランス調整がマニュアルのときのＢ（青色）方向制御データである。なお、ホワイトバランス調整がオートのときには、ＰＣ２，ＰＣ３及びＰＣ４には００ｈがセットされる。
【００２８】
図９に示すワード５は、そのＰＣ１がフォーカス制御のオート／マニュアルの判別データ、ＰＣ２が防振（手振れ補正）機能のオン／オフ判別データ、ＰＣ３が電子ズームのオン／オフ判別データ、ＰＣ４が電子ズームがオンのときのズーム位置データである。なお、電子ズームがオフのときには、ＰＣ４には００ｈがセットされる。
【００２９】
カメラの各機能を設定するときの、システム制御部回路２４の動作を説明する。カメラの電源がオンされると録画待機状態となり、この状態でカメラの各機能が設定される。システム制御回路２４は、磁気テープ２２を最低１フレーム分、戻し、その１フレームに記録されているシステム・データを読み出す。その際、映像データ及び音声データも同時に読み出されるが再生出力の処理はされない。システム・データの読み出し後、磁気テープ２２は１フレーム分先の録画可能な位置に進められる。
【００３０】
システム制御回路２４は、システム・データをデコードし、デコードしたデータ内の日時を前回の撮影日時とする。そして、システム制御回路２４は、世界時計２６から現在の日時を読み出し、前回の撮影日時と比較して前回の撮影からの経過時間を算出する。前回の撮影からの経過時間が２０分未満であれば、システム制御回路２４は、デコードしたデータの内容に基づき各部を制御して、カメラの各機能を前回の撮影時と同じ状態に再設定する。前回の撮影からの経過時間が２０分以上であれば、システム制御回路２４は、カメラの設定を初期設定状態とする。
【００３１】
また、磁気テープ２２が装填されていないとき、装填されている磁気テープ２２にシステム・データが記録されていないとき、及び、磁気テープ２２が完全に巻き戻されているときにも、システム制御回路２４は、カメラの設定を初期設定状態とする。初期設定状態は、例えば、露出制御がオート、ホワイトバランス調整がオート、フォーカス制御がオート、防振モードがオン、電子ズームがオフである。
【００３２】
録画スタート・キーがオンされて録画が開始されると、システム制御回路２４は、録画中、最新のシステム・データをレコーダ信号処理回路１８に出力し続ける。
【００３３】
上記実施例では、カメラの各機能の設定の判断となる経過時間の閾値を２０分としたが、本発明は、これに限定されない。
【００３４】
【発明の効果】
以上、説明したように、本発明によれば、記録媒体から読み出した日時情報と現在の日時との差に基づいて、適切な撮影条件を簡単に設定することができ、撮像装置の使い勝手を向上させることができる。
【図面の簡単な説明】
【図１】  本発明の一実施例の概略構成ブロック図である。
【図２】  レコーダ信号処理回路１８の概略構成ブロック図である。
【図３】  テープ２２の記録トラックを示す図である。
【図４】  テープ２２に記録するデータ形式を示す図である。
【図５】  システム・データのワード１の構成を示す図である。
【図６】  システム・データのワード２の構成を示す図である。
【図７】  システム・データのワード３の構成を示す図である。
【図８】  システム・データのワード４の構成を示す図である。
【図９】  システム・データのワード５の構成を示す図である。
【符号の説明】
１０：撮影レンズ
１２：絞り
１４：撮像素子
１６：カメラ信号処理回路
１８：レコーダ信号処理回路
２０：磁気ヘッド
２２：磁気テープ
２４：システム制御回路
２６：世界時計
３０：サンプリング周波数変換回路
３２：データ圧縮回路
３４：誤り訂正符号付加回路
３６：記録符号化回路
３８：検出回路
４０：誤り訂正回路
４２：データ伸長回路
４４：サンプリング周波数変換回路
５０：トラック
５２：サブコード・セクタ
５４：ビデオ・セクタ
５６：オーディオ・セクタ
５８：ＩＴＩセクタ
【図１】
0004035188.tif 000002
【図２】
0004035188.tif 000003
【図３】
0004035188.tif 000004
【図４】
0004035188.tif 000005
【図５】
0004035188.tif 000006
【図６】
0004035188.tif 000007
【図７】
0004035188.tif 000008
【図８】
0004035188.tif 000009
【図９】
0004035188.tif 000010